(57)【要約】      （修正有）【課題】安定した受信が可能な伝送制御情報処理回路およびこの伝送制御情報処理回路を有する受信装置を提供する。【解決手段】フレーム単位で伝送される伝送信号に基づいてデジタル信号の伝送方式を識別する伝送制御情報を復調し復調伝送制御情報を出力する復調回路１０と、少なくとも１フレーム分の復調伝送制御情報を保持するバッファ回路１１と、復調回路１０からの復調伝送制御情報と、バッファ回路11が保持した復調伝送制御情報とを周期的に多重処理し、多重処理された多重伝送制御情報を出力する多重回路１２と、復調伝送制御情報および／または多重伝送制御情報の誤りを検出し訂正する誤り検出訂正回路１８と、誤り検出訂正回路18が検出した誤り情報に応じて、復調伝送制御情報と多重伝送制御情報のいずれかの伝送制御情報を選択する選択回路１６とを有する。【選択図】図２
2009100370.tif 000002
【特許請求の範囲】
【請求項１】
フレーム単位で伝送される伝送信号に基づいてデジタル信号の伝送方式を識別する伝送制御情報を復調し復調伝送制御情報を出力する復調回路と、
少なくとも１フレーム分の前記復調伝送制御情報を保持するバッファ回路と、
前記復調回路からの復調伝送制御情報と、前記バッファ回路が保持した復調伝送制御情報とを周期的に多重処理し、この多重処理された多重伝送制御情報を出力する多重回路と、
前記復調伝送制御情報および／または前記多重伝送制御情報の誤りを検出し訂正する誤り検出訂正回路と、
前記誤り検出訂正回路が検出した誤り情報に応じて、前記復調伝送制御情報と前記多重伝送制御情報のいずれかの伝送制御情報を選択する選択回路とを有することを特徴とする伝送制御情報処理回路。
【請求項２】
前記選択回路は、
前記復調伝送制御情報の誤り訂正が可能な場合は、前記復調伝送制御情報を選択することを特徴とする請求項１に記載の伝送制御情報処理回路。
【請求項３】
カウントダウン情報を検知するカウントダウン検知回路を有し、
前記選択回路は、前記カウントダウン検知回路がカウントダウン情報を検知中は、前記誤り訂正後の復調伝送制御情報を選択することを特徴とする請求項１に記載の伝送制御情報処理回路。
【請求項４】
前記選択回路は、前記カウントダウン検知回路がカウントダウン情報を検知後、一定期間、前記誤り訂正後の復調伝送制御情報を選択することを特徴とする請求項３項に記載の伝送制御情報処理回路。
【請求項５】
請求項１から請求項４のいずれか１項に記載の伝送制御情報処理回路を有することを特徴とする受信装置。
【発明の詳細な説明】
【技術分野】
【０００１】
本発明は、デジタル放送信号を受信するための伝送制御情報処理回路およびこの伝送制御情報処理回路を有する受信装置に関する。
【背景技術】
【０００２】
近年、質の高い音声及び映像信号を送受信するため、デジタル伝送の開発が行われている。例えば、デジタルテレビ放送には、ＯＦＤＭ（Orthogonal Frequency Division Multiplexing：直交周波数分割多重）方式を用いたデジタル伝送が規格化されている。ＯＦＭＤ方式では、互いに直交する複数キャリアにデータを割り当てて変調及び復調が行われる。送信側では逆高速フーリエ変換（ＩＦＦＴ）が、受信側では高速フーリエ変換（ＦＦＴ）処理がそれぞれ行われる。特に、日本のデジタルテレビ放送においては、送信者は任意の変調方式を用いることが可能であるため、デジタル放送信号の変調方式等の伝送方式を識別する伝送制御（TMCC：Transmission and Multiplexing Configuration Control）信号（以下、「ＴＭＣＣ信号」という。）が、デジタル放送信号に付加されている。受信装置は、受信した伝送制御情報（以下、「ＴＭＣＣ情報」という。）を復調して検出し、復調されたTMCC情報に従って、デジタル放送信号の復調を行っている。
【０００３】
ここで、デジタル放送信号は、伝送中の伝送エラー、例えば、車や電車などでの高速移動中の受信において発生しやすいフェージングによる誤り発生の対策として、時間インターリーブ、すなわち伝送データを時間軸方向に分散させて伝送する方式により伝送されている。さらに、デジタル放送信号は、外符号のRS(  Ｒｅｅｄ−Ｓｏｌｏｍｏｎ：  リードソロモン)符号によって符号化後に、さらに、内符号である畳み込み符号によって符号化されている。このためデジタル放送信号はフェージング耐性に優れている。
【０００４】
これに対して、TMCC信号は高速で処理する必要があるため、時間インターリーブは用いられておらず、誤り訂正符号も差集合巡回符号しか用いられていない。このため、デジタル放送信号は問題なく信号処理が行えても、TMCC信号はエラーにより信号処理が不可能となる場合がある。
【０００５】
ここで、TMCC信号は同一情報が繰り返し伝送されているため、信号の多重化処理を用いることで、実質的には時間インターリーブ類似効果を得ることができる。例えば、特開２００７−３６７３０号公報には、フレーム単位でTMCC信号の多重化を行う受信装置が開示されている。
【０００６】
しかし、TMCC信号の多重化を行う受信装置では、突発的な大きなノイズの発生があった場合などは、多重化処理を行うことで、その影響が残存し、長期間にわたって正しいＴＭＣＣ情報を取得できない場合があった。また、地震や津波等を知らせる緊急放送等の場合、あるいはＴＶ受信からラジオ受信に受信状態を切り替える場合等には、使用している伝送パラメータが異なるため、TMCC情報が変更される。このような緊急放送受信や受信モード切替の場合には、TMCC情報のカレント情報とネクスト情報が異なるため、TMCC信号の多重化処理を行っていると正しいTMCC情報を取得できず、受信装置の誤動作の原因となることがあった。
【特許文献１】特開２００７−３６７３０号公報
【発明の開示】
【発明が解決しようとする課題】
【０００７】
本発明は、安定した受信が可能な伝送制御情報処理回路およびこの伝送制御情報処理回路を有する受信装置を提供することを目的とする。
【課題を解決するための手段】
【０００８】
本願発明の一態様の伝送制御情報処理回路は、フレーム単位で伝送される伝送信号に基づいてデジタル信号の伝送方式を識別する伝送制御情報を復調し復調伝送制御情報を出力する復調回路と、少なくとも１フレーム分の前記復調伝送制御情報を保持するバッファ回路と、前記復調回路からの復調伝送制御情報と、前記バッファ回路が保持した復調伝送制御情報とを周期的に多重処理し、この多重処理された多重伝送制御情報を出力する多重回路と、前記復調伝送制御情報および／または前記多重伝送制御情報の誤りを検出し訂正する誤り検出訂正回路と、前記誤り検出訂正回路が検出した誤り情報に応じて、前記復調伝送制御情報と前記多重伝送制御情報のいずれかの伝送制御情報を選択する選択回路とを有することを特徴とする。
【０００９】
また本願発明の別の一態様の受信装置は、上記記載の伝送制御情報処理回路を有する。
【発明の効果】
【００１０】
本発明は、安定した受信が可能な伝送制御情報処理回路およびこの伝送制御情報処理回路を有する受信装置を提供する。
【発明を実施するための最良の形態】
【００１１】
以下、図面を参照して本発明の実施の形態を説明する。  
＜第１の実施の形態＞  
図１は、本発明の第１の実施の形態にかかる受信装置１のブロック図であり、図２は受信装置１のTMCC信号処理回路２６のブロック図である。
【００１２】
図１に示すように、本実施の形態に係る受信装置１は、アンテナ２０、チューナ２１、アナログ／デジタル（Ａ／Ｄ）変換器２２、直交検波回路２３、ＦＦＴ回路２４、主信号復調回路２５、TMCC信号処理回路２６と、出力回路２７とを備える。ここで、主信号復調回路２５は、デジタル放送信号のうちの少なくともTMCC信号を除いた、映像や音声などの主信号を復調する回路を意味している。
【００１３】
放送局Ｂからの放送電波Ｗは、アンテナ２０で受信され、受信された高周波帯の放送信号は、チューナ２１によって所定チャネルの信号が中間周波数帯に変換され、Ａ／Ｄ変換器２２によってデジタル信号に変換される。Ａ／Ｄ変換器２２からのデジタル信号は、直交検波回路２３により複素ベースバンド信号に変換される。ＦＦＴ回路２４は、複素ベースバンド信号に対し、ＦＦＴ演算により時間軸上の伝送信号を周波数軸上のデータに変換し、TMCC信号の成分とそれ以外の主信号の成分に分離して出力する。復調回路２５は、TMCC信号処理回路２６からのTMCC信号情報に従って、ＦＦＴ演算後の主信号を復調して伝送路特性に起因する歪み成分を除去された後に、出力回路２７により各種処理が行われ、最終的に音や映像の形態となって出力される。
【００１４】
図２に示すように、本実施の形態に係るTMCC信号処理回路２６は、復調回路１０、バッファ回路１１、多重回路１２、誤り検出訂正回路１８、選択回路１６、制御回路１９とを備える。復調回路１０はフレーム単位で伝送されるTMCC信号を復調し、復調TMCC信号（以下、「復調信号」という。）を誤り検出訂正回路１８、多重回路１２およびバッファ回路１１、に供給する。誤り検出訂正回路１８は、TMCC信号に誤りがあるか否か、また誤りがある場合には、その誤り訂正を行う。バッファ回路１１は、少なくとも、１フレーム期間分のTMCC情報を保持する。多重回路１２は、復調回路１０が復調した復調TMCC情報と、バッファ回路１１が保持しTMCC情報とをフレーム単位で周期的に多重処理し、多重処理された多重TMCC信号（以下、「多重信号」という。）を誤り検出訂正回路１８に供給する。
【００１５】
なお、多重回路１２における多重方式として無限インパルス応答（ＩＩＲ：Infinite Impulse Response）の演算処理を利用しても良い。ＩＩＲ処理は、単純に同期加算するのではなく、以下の式のように、１／ｎずつ加算していく処理である。すなわち、復調回路１０からの復調TMCC信号をＴｉｎ、バッファ回路が保持するＴＭＣＣ信号をＤ（ｔ−１）、多重回路１２が出力する多重信号をＤ（ｔ）とすると、  
Ｄ（ｔ）＝Ｄ（ｔ−１）×（ｎ−１）／ｎ＋Ｔｉｎ／ｎ  
となる。なお、ｎとしては、１〜３０程度、好ましくは７〜１５程度の値が受信状況あるいは受信装置の信頼性等により適宜選択される。例えばｎ＝８が選択された場合には、１フレームの処理毎に、多重TMCC信号の１／８が、新しい復調TMCC信号と入れ替わっていくことになる。
【００１６】
選択回路１６は、誤り検出訂正回路１８の情報に応じて復調TMCC情報と多重TMCC情報のいずれかのTMCC情報を選択し、図１に示した主信号復調回路２５に出力する。ＴＭＣＣ信号処理回路２６が出力したＴＭＣＣ情報は、主信号復調回路２５において、主信号の多重化モード、変調方式、インターリーブ長及び符号化率等の判別に使用されている。
【００１７】
なお、制御回路１９は、ＴＭＣＣ信号処理回路全般の制御を行う。また、カウントダウン検知回路１５は本実施の形態の動作には関与しない。
【００１８】
次に、図３を参照して本実施の形態のTMCC信号処理回路２６における信号処理の流れを説明する。図３は本実施の形態にかかるTMCC信号処理回路２６の処理の流れを示すフローチャートである。
【００１９】
＜ステップＳ１０＞  
ＦＦＴ回路２４からの信号入力によりTMCC信号処理回路２６の処理が開始される。復調回路１０により復調されたTMCC復調信号は、誤り検出訂正回路１８とバッファ回路１１と多重回路１２とに供給される。
【００２０】
＜ステップＳ１１＞  
誤り検出訂正回路１８は、TMCC復調信号に誤りがないか検出し、誤りがあった場合には、その誤りの訂正を行う。ただし、誤り検出訂正回路１８が訂正可能な誤りの数  ｔ  は、誤り訂正符号生成時に規定されている。このため、誤りの数  Ｎ  が ｔよりも 多い場合には、TMCC復調信号の全ての誤りが訂正できない場合もある。
【００２１】
＜ステップＳ１２＞  
TMCC復調信号の誤り訂正が行われたか否かを判定する。  
TMCC復調信号の全ての誤りが訂正できた場合（Ｙｅｓ）には、ステップＳ１３において、選択回路１６により誤り訂正後の復調信号が選択されて、主信号復調回路２５に送信される。なお、ＴMCC復調信号に誤りがない場合にも、ステップＳ１２にて誤り訂正可能と判断され、復調信号が選択されて、誤り訂正処理を行わなかったＴMCC復調信号が、ステップＳ18に示すように主信号復調回路２５に送信される。
【００２２】
＜ステップＳ１４＞  
ステップＳ１２において、TMCC復調信号の全ての誤りが訂正できない（Ｎｏ）場合には、ステップＳ１４において、多重信号に誤りがないか検出し、誤りがあった場合には、その誤りの訂正を行う。
【００２３】
＜ステップＳ１５＞  
TMCC多重信号の誤り訂正が行われたか否かを判定する。  
TMCC多重信号の全ての誤りが訂正できた場合（Ｙｅｓ）には、ステップＳ１６において、選択回路１６により誤り訂正後の多重信号が選択されて、ステップＳ18に示すように主信号復調回路２５に送信される。
【００２４】
＜ステップＳ１７＞  
ステップＳ１５において、TMCC多重信号の全ての誤りが訂正できなかった（Ｎｏ）場合には、前フレームで使用したTMCC信号が選択されて、主信号復調回路２５に送信される。  
あるいは、主信号復調回路２５に送信しないで、１フレーム分の主信号処理を行わないことも可能である。
【００２５】
以上のように、本実施の形態のTMCC信号処理回路２６では、復調TMCC信号の誤りが訂正可能だった場合には、多重TMCC信号の誤り訂正処理を行わないので、TMCC信号信号処理回路の効率が良い。かつ、復調TMCC信号の誤りが訂正不可能だった場合には多重TMCC信号を用いるためフェージング耐性に優れている。また、復調TMCC信号を多重TMCC信号よりも優先的に使用するために、突発的なノイズにより大きく劣化した多重TMCC信号の影響を長期間にわたり受けることが無く、正しいTMCC情報を取得でき、安定した受信を可能とする。
【００２６】
このため、本実施の形態のTMCC信号処理回路２６を有する受信装置１は、安定した受信が可能である。
【００２７】
＜第２の実施の形態＞  
次に本発明の第２の実施の形態にかかるTMCC信号処理回路２６Ｂ、およびTMCC信号処理回路２６Ｂを有する受信装置２について説明する。  
図４は本実施の形態にかかるTMCC信号処理回路２６Ｂの処理の流れを示すフローチャートである。
【００２８】
本実施の形態における受信装置２およびＴＭＣＣ信号処理回路２６Ｂの基本構成は、図１および図２に示した第１の実施の形態と同様である。しかし、本実施の形態におけるＴＭＣＣ信号処理回路２６Ｂの信号処理においては、復調信号よりも、多重信号を優先して、主信号変調回路へ送信する点でＴＭＣＣ信号処理回路２６と異なる。以下、第１の実施の形態と異なる箇所のみ説明する。
【００２９】
すなわち、図４のフローチャートに示すように、本実施の形態におけるＴＭＣＣ信号処理回路２６Ｂでは、ステップＳ２２において、最初に多重信号の誤りが訂正可能であるかが判断される。そして、多重信号の誤りが訂正不可能の場合、後段のステップＳ２５において復調信号の誤りが訂正可能であるかが判断される。ステップＳ22及びＳ25のそれぞれにおいて、誤り訂正可能であった場合(Yes)には、多重TMCC信号及び復調TMCC信号が選択されて、ステップＳ28のように主信号復調回路２５へ供給される。
【００３０】
受信装置２の受信環境によっては、例えば、電車等でビルの谷間を移動中のように、高い確率でTMCC復調信号に訂正不可能な誤りが発生することが予見される。このような場合には、フェージング耐性に優れた多重信号を最初に選択する本実施の形態のTMCC信号処理２６Ｂの方が、第１の実施の形態のTMCC信号処理よりも効率が良い。また、本実施の形態のＴＭＣＣ信号処理回路２６Ｂでは、突発的なノイズ等による多重信号の劣化が発生した場合には、後段のステップで復調信号が選択可能である。
【００３１】
以上のように、本実施の形態のTMCC信号処理回路２６Ｂでは、多重TMCC信号の誤りが訂正可能だった場合には、復調TMCC信号の誤り訂正処理を行わないので、TMCC信号処理回路の効率が良い。また、復調TMCC信号を選択することが可能なため、突発的なノイズにより大きく劣化した多重TMCC信号の影響を長期間にわたり受けることが無く、正しいTMCC情報を取得でき、安定した受信を可能とする。  
このため、本実施の形態のTMCC信号処理回路２６Ｂを有する受信装置２は、安定した受信が可能である。
【００３２】
なお、第１の実施の形態のTMCC信号処理回路２６と本実施の形態のTMCC信号処理回路２６Ｂとは、予め、あるいは受信状態に応じて、自動的に、あるいは受信者の操作により、回路を切り替えて使用することが好ましい。そして、第１の実施の形態のTMCC信号処理回路２６と本実施の形態のTMCC信号処理回路２６Ｂとを切り替えて使用する受信装置３は、安定した受信が可能である。
【００３３】
＜第３の実施の形態＞  
次に本発明の第３の実施の形態にかかるTMCC信号処理回路２６Ｃ、およびTMCC信号処理回路２６Ｃを有する受信装置４について説明する。  
前記のように、地震や津波等を知らせる緊急放送等の場合には、使用している伝送パラメータを変更するため、TMCC情報が変更されることがある。この場合には、TMCC情報のカレント情報とネクスト情報が異なるため、TMCC信号の多重化処理を行っていては、正しくTMCC信号を認識できず誤動作の原因となることがある。
【００３４】
伝送パラメータを変更する際には、１５フレーム前からカウントダウン信号が送信者から、TMCC信号にのせて送信されることになっている。ここで、カウントダウン信号は、カウントダウン情報を知らせる信号であり、伝送パラメータのうち、TMCC情報により指示可能なパラメータ（キャリア変調、畳み込み符号の符号化率、時間インターリーブ長、セグメント数）を変更する際、伝送パラメータの切り替え指標をＯＦＤＭフレーム単位で、変化させることを言う。
【００３５】
本実施の形態における受信装置４およびTMCC信号処理回路２６Ｃの基本構成は、図１および図２に示した第１の実施の形態と同様である。しかし、図２に示すカウントダウン検知回路１５が不可欠の構成要素となる。すなわち、図５に示すように、本実施の形態のTMCC信号処理回路２６Ｃは、カウントダウン情報を検知するカウントダウン検知回路１５を有し、カウントダウン検知回路１５がカウントダウン情報を検知中は、選択回路１６は誤り訂正後の復調TMCC信号を選択し主信号復調回路２５に送信する。
【００３６】
従って、カウントダウン信号を受信した際に、ＴＭＣＣ信号処理を復調TMCC信号に変更する。図５は、本実施の形態のTMCC信号処理回路２６Ｃにおける処理の流れを説明するためのフローチャートである。  
図５に示すように、本実施の形態のTMCC信号処理回路２６Ｃにおいては、カウントダウン信号を受信するまでは、ステップＳ３１においてＮｏと判断され、第１または第２の実施の形態のフローチャート（Ｉ）の処理、すなわち図３（Ｉ）または図４（Ｉ）からの処理が行われる。
【００３７】
しかし、カウントダウン信号を受信した場合には、すなわち、カウントダウン検知回路１５がカウントダウン情報を検知した場合には、ステップＳ３１においてＹｅｓと判断され、ステップＳ３２において、復調信号の誤り訂正が行われる。誤り検出訂正回路１８は、復調信号に誤りがないか検出し、誤りがあった場合には、その誤りの訂正を行う。そしてステップＳ３３において、復調信号の全ての誤りが訂正できた場合（Ｙｅｓ）には、ステップＳ３４において、選択回路１６により誤り訂正後の復調信号が選択されて、ステップＳ36にて主信号復調回路２５に送信される。なお、ＴMCC復調信号に誤りがない場合にも、ステップＳ３３にて誤り訂正可能と判断され、復調信号が選択されて、誤り訂正処理を行わなかったＴMCC復調信号が、主信号復調回路２５に送信される。
【００３８】
ステップＳ３３において、TMCC復調信号の全ての誤りが訂正できない（Ｎｏ）場合には、ステップＳ３５において、前フレームのＴＭＣＣ信号が選択される。あるいは、主信号復調回路２５に送信しないで、１フレーム分の主信号処理を行わないことも可能である。  
以上のように、本実施の形態のTMCC信号処理回路２６Ｃでは、カウントダウン信号を受信した場合には、復調TMCC信号の誤りが訂正不可能だった場合でも、多重TMCC信号を用いることはない。このため、本実施の形態のTMCC信号処理回路２６Ｃでは、正しいTMCC情報を取得でき、安定した受信を可能とする。
【００３９】
このため、本実施の形態のTMCC信号処理回路２６Ｃを有する受信装置４は、安定した受信が可能である。
【００４０】
＜第４の実施の形態＞  
次に本発明の第４の実施の形態にかかるTMCC信号処理回路２６Ｄ、およびTMCC信号処理回路２６Ｄを有する受信装置５について説明する。  
前記のように、多重信号は、少なくとも１フレーム期間分のTMCC信号を多重処理し、ＩＩＲ処理では、さらに長期間分のTMCC信号が多重処理されている。このため、カウントダウン信号が受信されなくなった後も、カウントダウン信号を受信中の以前のTMCC信号情報がバッファ回路１１に記憶されている。
【００４１】
本実施の形態における受信装置５およびTMCC信号処理回路２６Ｄの基本構成は、図３に示した第３の実施の形態と同様である。しかし、図６に示すように、本実施の形態のTMCC信号処理回路２６Ｄは、カウントダウン検知回路１５がカウントダウン情報を検知後、一定期間のTMCC情報は、誤り訂正後の復調TMCC信号を選択する。すなわち、TMCC信号処理回路２６Ｄは、カウントダウン信号を受信中はもちろん、受信しなくなってからも、一定期間、ＴＭＣＣ信号処理を復調TMCC信号に変更する。図６は、本実施の形態のTMCC信号処理回路２６Ｄにおける処理の流れを説明するためのフローチャートである。
【００４２】
図６に示すように、本実施の形態のTMCC信号処理回路２６Ｄにおいては、カウントダウン信号を受信するまでは、ステップＳ４１においてＮｏと判断され、また後述するタイマーは０となっており、このため、ステップＳ４８においてＹｅｓと判断され、第１または第２の実施の形態のフローチャート（Ｉ）の処理、すなわち図３（Ｉ）または図４（Ｉ）からの処理が行われる。
【００４３】
これに対して、本実施の形態のTMCC信号処理回路２６Ｄにおいては、カウントダウン信号を受信すると、ステップＳ４１においてＹｅｓと判断され、ステップＳ４２において、タイマーに初期値Ｋが入力される。そして、カウントダウン信号を受信中は、図５に示した第３の実施の形態のTMCC信号処理回路２６Ｃと同様の処理(ステップＳ43〜Ｓ47)により、原則として、復調信号が主信号復調回路２５に送信される。なお、この間、タイマーの値  ｔ  は常に、Ｋである。
【００４４】
そして、TMCC信号処理回路２６Ｄにおいては、カウントダウン信号が受信されなくなると、ステップ４１においてＮｏと判断されるが、ステップＳ４８において、タイマーの値  ｔ  は、０でなはく、Ｋであるため、第１または第２の実施の形態のフローチャート（Ｉ）の処理を行わない。すなわち、ステップＳ４９において、タイマーの値Ｋから１を減ずる処理を行った後に、ステップＳ４３以降の処理を行い、原則として、復調信号が主信号復調回路２５に送信される。
【００４５】
そして、カウントダウン信号が受信されなくなってからＫフレームになって、タイマー  ｔ  の値が０になると、ステップＳ４８において、第１または第２の実施の形態のフローチャート（Ｉ）の処理、すなわち、多重信号を選択する場合もある処理に切り替わる。
【００４６】
すなわち、多重TMCC信号を用いることのない一定の期間、具体的にはタイマー ｔ にセットするフレームの数である、Ｋ、を設定することができる。ここで、Ｋ値は、カウントダウン信号受信前のＴＭＣＣ信号の影響が、新規なＴＭＣＣ情報の多重信号処理に影響を及ぼさない程度にまで小さくなるように選択される。このため、Ｋ値は、多重方式により異なり、１／ｎずつ加算していく無限インパルス応答（ＩＩＲ：Infinite Impulse Response）の演算処理を利用している場合には、概ね、ｎとなる。すなわち、１／ｎ加算ＩＩＲ処理を行う多重回路を有するTMCC信号処理回路２６Ｄにおいて、カウントダウン信号を受信し完了後、ｎフレーム期間分、多重TMCC信号を用いない。なお、カウントダウン信号が例えば、１５フレーム期間送信された場合には、カウントダウン信号が受信されてから、すなわちカウントダウン検知回路がカウントダウンを検知してから、多重信号を選択する場合もある処理に切り替わるまでの一定期間は、（１５＋ｎ）フレーム期間分となる。
【００４７】
以上のように、本実施の形態のTMCC信号処理回路２６Ｄでは、カウントダウン信号を受信した場合はもちろん、受信しなくなった後も一定期間は、復調TMCC信号の誤りが訂正不可能だった場合でも、多重TMCC信号を用いることはない。このため、本実施の形態のTMCC信号処理回路２６Ｄでは、正しいTMCC情報を取得でき、安定した受信を可能とする。  
このため、本実施の形態のTMCC信号処理回路２６Ｄを有する受信装置５は、安定した受信が可能である。
【００４８】
＜第５の実施の形態＞  
次に本発明の第５の実施の形態にかかるTMCC信号処理回路２６ＥおよびTMCC信号処理回路２６Ｅを有する受信装置６について説明する。  
図７は本実施の形態にかかるTMCC信号処理回路２６Ｅの処理の流れを示すフローチャートである。
【００４９】
本実施の形態における受信装置６およびTMCC信号処理回路２６Ｅの基本構成は、図１および図２に示した第１の実施の形態と同様である。しかし、本実施の形態におけるTMCC信号処理回路２６Ｅの信号処理においては、復調信号処理と多重信号処理とを並行して行う点で異なる。以下、第１の実施の形態と異なる箇所のみ説明する。
【００５０】
図７に示すように、ＦＦＴ回路からの信号は、復調回路１０を経由して、復調信号として直接、誤り検出訂正回路１８に送信されると同時に、多重回路１２に送信され、多重化された多重信号として誤り検出訂正回路１８に送信される。TMCC信号処理回路２６Ｅにおいては、復調信号処理(ステップＳ51〜Ｓ53)と多重信号処理(ステップＳ54〜Ｓ56)と同時に並列処理されるため、順次処理が行われる、第１の実施の形態のＴＭＣＣ信号処理回路２６に比べて、処理速度が速い。ただし、TMCC信号処理回路２６Ｅにおいては、誤り検出訂正回路１８の内部に同時に誤り検出訂正処理が可能な２つの回路が必要となるため、誤り検出訂正回路１８が複雑かつ大型化となる場合がある。
【００５１】
逆に言えば、復調信号処理と多重信号処理との処理を時系列的に順次行う第１の実施の形態のＴＭＣＣ信号処理回路２６は、１の誤り検出訂正回路１８を共通して使用することが可能のため、誤り検出訂正回路１８が比較的単純かつ小型化が可能である。  
本発明は、上述した実施の形態に限定されるものではなく、本発明の要旨を変えない範囲において、種々の変更、改変等が可能である。
【図面の簡単な説明】
【００５２】
【図１】本発明の第１の実施の形態にかかる受信装置のブロック図である。
【図２】本発明の第１の実施の形態にかかるTMCC信号処理回路のブロック図である。
【図３】本発明の第１の実施の形態にかかるTMCC信号処理回の処理の流れを示すフローチャートである。
【図４】本発明の第２の実施の形態にかかるTMCC信号処理回の処理の流れを示すフローチャートである。
【図５】本発明の第３の実施の形態にかかるTMCC信号処理回の処理の流れを示すフローチャートである。
【図６】本発明の第４の実施の形態にかかるTMCC信号処理回の処理の流れを示すフローチャートである。
【図７】本発明の第５の実施の形態にかかるTMCC信号処理回の処理の流れを示すフローチャートである。
【符号の説明】
【００５３】
１、２、３、４、５、６、７…受信装置、１０…復調回路、１１…バッファ回路、１２…多重回路、１５…カウントダウン検知回路、１６…選択回路、１８…誤り検出訂正回路、１９…制御回路、２０…アンテナ、２１…チューナ、２２…Ａ／Ｄ変換器、２３…直交検波回路、２４…ＦＦＴ回路、２５…主信号復調回路、２６、２６Ｂ、２６Ｃ、２６Ｄ、２６Ｅ…TMCC信号処理回路、２７…出力回路
【図１】
2009100370.tif 000003
【図２】
2009100370.tif 000004
【図３】
2009100370.tif 000005
【図４】
2009100370.tif 000006
【図５】
2009100370.tif 000007
【図６】
2009100370.tif 000008
【図７】
2009100370.tif 000009